【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
撮影イベントの開始通知情報を、ネットワークを介して接続された複数の端末装置に配信する送信処理部と、
前記開始通知情報が配信された複数の前記端末装置から、前記開始通知情報に対応する撮像画像を受信する画像取得部と、
受信した前記撮像画像を記憶する記憶部と、
前記撮像画像に対する評価処理を行う処理部と、
を含むことを特徴とするサーバシステム。
【請求項２】
請求項１において、
前記送信処理部は、
ソーシャルネットワーキングサービスにおいて配信側端末装置から送信されたソーシャルデータを、前記撮影イベントの前記開始通知情報として、前記ネットワークを介して接続された複数の前記端末装置に配信することを特徴とするサーバシステム。
【請求項３】
請求項２において、
前記処理部は、
前記配信側端末装置から送信された評価情報に基づいて、前記評価処理を行うことを特徴とするサーバシステム。
【請求項４】
請求項２において、
前記処理部は、
前記撮像画像に対して付加されたメタデータに基づいて、前記評価処理を行うことを特徴とするサーバシステム。
【請求項５】
請求項４において、
前記メタデータは、
前記ソーシャルデータが前記端末装置に受信されてから前記端末装置で前記撮像画像が撮像されるまでに要した時間に関する情報を含み、
前記処理部は、
前記ソーシャルデータが前記端末装置に受信されてから前記端末装置で前記撮像画像が撮像されるまでに要した時間が短いほど、評価を高くする前記評価処理を行うことを特徴とするサーバシステム。
【請求項６】
請求項４において、
前記メタデータは、
前記ソーシャルデータが前記端末装置に受信されてから前記端末装置が前記撮像画像を送信するまでに行われた撮像回数に関する情報を含み、
前記処理部は、
前記ソーシャルデータが前記端末装置に受信されてから前記端末装置が前記撮像画像を送信するまでに行われた前記撮影回数が多いほど、評価を高くする前記評価処理を行うことを特徴とするサーバシステム。
【請求項７】
請求項４において、
前記メタデータは、
前記ソーシャルデータが前記端末装置に受信されてから前記端末装置が前記撮像画像を送信するまでに行われた操作履歴に関する情報を含み、
前記処理部は、
前記ソーシャルデータが前記端末装置に受信されてから前記端末装置が前記撮像画像を送信するまでに行われた操作回数が多いほど、評価を高くする前記評価処理を行うことを特徴とするサーバシステム。
【請求項８】
請求項２において、
前記処理部は、
前記ソーシャルデータの受信処理前又は後の前記端末装置における撮影に関する情報である撮影情報、前記ソーシャルデータの受信処理前又は後の前記端末装置を用いるユーザの行動に関する情報である行動情報、及び前記ソーシャルデータの少なくとも１つに基づいて、前記撮像画像に対して付加されるメタデータを作成し、
前記処理部は、
作成した前記メタデータに基づいて、前記評価処理を行うことを特徴とするサーバシステム。
【請求項９】
請求項８において、
前記処理部は、
前記送信処理部から前記ソーシャルデータが送信された送信時間情報、前記端末装置において前記ソーシャルデータが受信された受信時間情報、前記端末装置において前記撮像画像が撮像された撮像時間情報、及び前記端末装置から前記撮像画像が送信された画像送信時間情報の少なくとも１つに基づいて、前記メタデータを作成することを特徴とするサーバシステム。
【請求項１０】
請求項８又は９において、
前記処理部は、
文章データである前記ソーシャルデータの少なくとも一部を、前記メタデータとして作成することを特徴とするサーバシステム。
【請求項１１】
請求項１０において、
前記処理部は、
前記文章データである前記ソーシャルデータに対して構文解析処理を行い、前記構文解析処理により取得された、前記ソーシャルデータに含まれる単語又は文節を前記メタデータとして作成することを特徴とするサーバシステム。
【請求項１２】
請求項１１において、
前記処理部は、
前記構文解析処理により取得された、前記ソーシャルデータに含まれる前記単語又は前記文節のうち、文章における使用頻度情報に基づいて選択された前記単語又は前記文節を前記メタデータとして作成することを特徴とするサーバシステム。
【請求項１３】
請求項１０乃至１２のいずれかにおいて、
前記処理部は、
前記文章データである前記ソーシャルデータのうち、文頭又は文末から所与の文字数を抜き出したデータを前記メタデータとして作成することを特徴とするサーバシステム。
【請求項１４】
請求項８乃至１３のいずれかにおいて、
前記処理部は、
前記端末装置における前記ソーシャルデータの取得処理から前記ソーシャルデータの表示処理までの第１の時間情報と、前記端末装置における前記ソーシャルデータの取得処理から前記撮像画像の取得処理までの第２の時間情報と、前記端末装置における前記ソーシャルデータの取得処理から前記撮像画像の送信処理までの第３の時間情報のうちの少なくとも１つの時間情報を前記撮影情報として取得し、取得した前記撮影情報に基づいて、前記メタデータを作成することを特徴とするサーバシステム。
【請求項１５】
請求項２において、
前記画像取得部は、
前記ソーシャルデータの受信処理前又は後の前記端末装置における撮影に関する情報である撮影情報、前記ソーシャルデータの受信処理前又は後の前記端末装置を用いるユーザの行動に関する情報である行動情報、及び前記ソーシャルデータの少なくとも１つに基づいて作成されたメタデータが付加された撮像画像を受信し、
前記処理部は、
前記メタデータに基づいて、前記評価処理を行うことを特徴とするサーバシステム。
【請求項１６】
請求項２乃至１５のいずれかにおいて、
前記ソーシャルデータは、ツイートデータであることを特徴とするサーバシステム。
【請求項１７】
請求項１乃至１６のいずれかにおいて、
前記処理部は、
前記評価処理の結果に基づいて、評価特典情報を作成し、
前記送信処理部は、
複数の前記端末装置のうちのいずれかの前記端末装置に対して、作成した前記評価特典情報を送信することを特徴とするサーバシステム。
【請求項１８】
請求項２乃至１６のいずれかにおいて、
前記処理部は、
前記評価処理の結果に基づいて、前記配信側端末装置を用いて前記ソーシャルデータの発信を行ったソーシャルデータ発信ユーザに関する情報を、評価特典情報として作成し、
前記送信処理部は、
複数の前記端末装置のうちのいずれかの前記端末装置に対して、作成した前記評価特典情報を送信することを特徴とするサーバシステム。
【請求項１９】
請求項１乃至１８のいずれかにおいて、
前記画像取得部は、
複数の前記端末装置のうちの第１の端末装置から、前記開始通知情報に対応して第１の端末装置において撮像された第１の撮像画像を受信し、
前記送信処理部は、
複数の前記端末装置のうち、前記第１の端末装置とは異なる第２〜第Ｎ（Ｎは２以上の整数）の端末装置に対して、前記第１の撮像画像に関する情報である第１の撮像画像情報を送信し、
前記処理部は、
前記第１の撮像画像情報が送信された前記第２〜第Ｎの端末装置から、前記第１の撮像画像に対する評価情報を取得し、取得した前記評価情報に基づいて前記第１の撮像画像に対する前記評価処理を行うことを特徴とするサーバシステム。
【請求項２０】
請求項１９において、
前記画像取得部は、
前記第１の撮像画像と関連づけて、前記第１の撮像画像が前記第１の端末装置において撮像されたことを示すメタデータを取得し、
前記処理部は、
取得した前記メタデータと前記第１の撮像画像情報との関連づけを行うことを特徴とするサーバシステム。
【請求項２１】
請求項２０において、
前記送信処理部は、
前記メタデータが関連づけられた前記第１の撮像画像情報を、前記第２〜第Ｎの端末装置に対して送信することを特徴とするサーバシステム。
【請求項２２】
請求項２１において、
前記処理部は、
前記第１の撮像画像が前記第１の端末装置において撮像されたことを示す前記メタデータに対して、前記第２〜第Ｎの端末装置での参照を制限する制限処理を行い、
前記送信処理部は、
前記制限処理が行われた前記メタデータが関連づけられた前記第１の撮像画像情報を、前記第２〜第Ｎの端末装置に対して送信することを特徴とするサーバシステム。
【請求項２３】
請求項１９乃至２２のいずれかにおいて、
前記処理部により、前記第２〜第Ｎの端末装置のうちの第ｋ（ｋは２≦ｋ≦Ｎの整数）の端末装置から送信された前記第１の撮像画像に対する前記評価情報に基づいて、前記評価処理が行われた場合に、
前記送信処理部は、
前記画像取得部により前記第１の端末装置から、前記第１の撮像画像とは異なる第２の撮像画像が取得された場合にも、前記第２の撮像画像に関する情報である第２の撮像画像情報の、前記第ｋの端末装置に対する送信処理をスキップすることを特徴とするサーバシステム。
【請求項２４】
請求項２２において、
前記開始通知情報の配信に対して、第ｋ（ｋは１≦ｋ≦Ｎの整数）の端末装置から前記撮像画像が送信された場合に、
前記処理部は、
前記撮像画像に対応する前記開始通知情報に基づいて、前記第ｋの端末装置を操作する第ｋのユーザの趣向を推定する趣向推定処理を行い、第１〜第Ｎの端末装置を操作する第１〜第Ｎのユーザに対する前記趣向推定処理の結果に基づいて１又は複数のユーザグループの作成処理を行い、
前記処理部は、
前記第２〜第Ｎのユーザの各ユーザが所与の前記ユーザグループに属するか否かの判定に基づいて、前記制限処理を行うか否かを決定することを特徴とするサーバシステム。
【請求項２５】
請求項１乃至２３のいずれかにおいて、
前記開始通知情報の配信に対して、複数の前記端末装置のうちの所与の端末装置から前記撮像画像が送信された場合に、
前記処理部は、
前記撮像画像に対応する前記開始通知情報に基づいて、前記所与の端末装置を操作するユーザの趣向を推定する趣向推定処理を行うことを特徴とするサーバシステム。
【請求項２６】
請求項２５において、
前記送信処理部は、
ソーシャルネットワーキングサービスにおいて配信側端末装置から送信されたソーシャルデータを、前記撮影イベントの前記開始通知情報として、前記ネットワークを介して接続された複数の前記端末装置に配信し、
前記処理部は、
前記配信側端末装置を用いて前記ソーシャルデータの発信を行ったソーシャルデータ発信ユーザに関する情報に基づいて、前記趣向推定処理を行うことを特徴とするサーバシステム。
【請求項２７】
請求項１９乃至２３のいずれかにおいて、
前記第１の撮像画像情報の配信に対して、前記第２〜第Ｎの端末装置のうちの第ｊ（ｊは２≦ｊ≦Ｎの整数）の端末装置から前記評価情報が送信された場合に、
前記処理部は、
前記第１の撮像画像に対応する前記開始通知情報に基づいて、前記第ｊの端末装置を操作するユーザの趣向を推定する趣向推定処理を行うことを特徴とするサーバシステム。
【請求項２８】
請求項１乃至２７のいずれかにおいて、
前記送信処理部が、前記撮影イベントの前記開始通知情報として、第１の開始通知情報を配信し、前記第１の開始通知情報の配信後に、前記第１の開始通知情報とは異なる第２の開始通知情報を配信した場合に、
前記処理部は、
前記画像取得部が、前記第１の開始通知情報の配信後、前記第２の開始通知情報の配信までに、複数の前記端末装置において前記第１の開始通知情報に対応して撮像された前記撮像画像を取得した場合に、前記撮像画像を前記評価処理の対象として設定し、
前記画像取得部が、前記第２の開始通知情報の配信後に、複数の前記端末装置において前記第１の開始通知情報に対応して撮像された前記撮像画像を取得した場合に、前記撮像画像を前記評価処理の対象から除外することを特徴とするサーバシステム。
【請求項２９】
請求項１乃至２８のいずれかにおいて、
前記処理部は、
前記画像取得部が、前記開始通知情報の配信後、所与の期間内に複数の前記端末装置において前記開始通知情報に対応して撮像された前記撮像画像を取得した場合に、前記撮像画像を前記評価処理の対象として設定し、
前記画像取得部が、前記開始通知情報の配信後、前記所与の期間の経過後に複数の前記端末装置において前記開始通知情報に対応して撮像された前記撮像画像を取得した場合に、前記撮像画像を前記評価処理の対象から除外することを特徴とするサーバシステム。
【請求項３０】
請求項１乃至２９のいずれかに記載のサーバシステムと、
前記端末装置と、
を含むことを特徴とする情報処理システム。
【請求項３１】
撮影イベントの開始通知情報をネットワークを介して接続された複数の端末装置に配信する送信処理部と、
前記開始通知情報が配信された複数の前記端末装置から、前記開始通知情報に対応する撮像画像を受信する画像取得部と、
受信した前記撮像画像を記憶する記憶部と、
前記撮像画像に対する評価処理を行う処理部として、
コンピュータを機能させることを特徴とするプログラム。